(57)【特許請求の範囲】
【請求項１】
排水口を覆うための排水口蓋であって、
上下厚み方向に貫通した複数の貫通孔を有する金属板と、
この金属板が上面部上に積層されるようにして前記金属板を支持し、かつ前記複数の貫通孔のうちの少なくとも１つの貫通孔に進入する上向き凸状部が前記上面部に設けられている樹脂体と、
を備えており、
前記樹脂体には、前記金属板の下面部に上部開口部が対向し、かつこの上部開口部から内部に流入してきた水を前記樹脂体の外部に流出させることが可能な排水用孔が設けられていることを特徴とする、排水口蓋。
【請求項２】
請求項１に記載の排水口蓋であって、
前記上向き凸状部の上端部は、前記金属板の上面部よりも上方に突出し、滑り止め用の凸部として機能する構成とされている、排水口蓋。
【請求項３】
請求項１または２に記載の排水口蓋であって、
前記樹脂体は、前記上面部を有し、かつ前記金属板が載せられる本体部と、この本体部の外周縁寄りの位置から下向きに突出した脚部と、を有しており、
前記排水用孔としては、前記脚部の形成箇所を避けるように前記本体部の中央寄りの位置に設けられ、かつ前記本体部の上下厚み方向に貫通する第１の排水用孔を備えている、排水口蓋。
【請求項４】
請求項１ないし３のいずれかに記載の排水口蓋であって、
前記金属板には、下向き突出部が設けられており、
前記排水用孔としては、前記下向き突出部が挿入されることにより前記金属板の位置決めを図るための孔部を含む第２の排水用孔を備えており、
前記孔部は、この孔部の内面と前記下向き突出部との外面との間に、水の流通が可能な流路を形成するように構成されている、排水口蓋。
【請求項５】
請求項１ないし４のいずれかに記載の排水口蓋であって、
前記樹脂体の上面部または前記金属板の下面部には、前記樹脂体と前記金属板との間に進入した水を前記排水用孔の上部開口部に導くことが可能なように、前記排水用孔の上部開口部に繋がった排水促進用の凹溝が設けられている、排水口蓋。
【請求項６】
請求項１ないし５のいずれかに記載の排水口蓋であって、
前記樹脂体には、前記金属板を前記樹脂体の上面部上に保持させる磁力を発揮する磁石が埋設されている、排水口蓋。
【発明の詳細な説明】
【技術分野】
【０００１】
本発明は、浴室の洗い場フロアなどに設けられた排水口を覆うための排水口蓋に関する。
【背景技術】
【０００２】
浴室の洗い場フロアに設けられる排水口は、通常時においては、排水口蓋を用いて覆われた状態とされる（たとえば、特許文献１，２を参照）。排水口蓋については、高級感を生じさせるための外観体裁などの理由から、その材質を金属製にすることが求められる場合がある。
【０００３】
しかしながら、排水口蓋の全体を金属板で構成したのでは、排水口蓋の清掃時などにおいて排水口蓋を落とした場合に、取扱者身体の安全性が懸念される。排水口蓋の全体が金属板である場合、たとえば、入浴者が上に乗った際に容易に撓み変形などを生じない程度の強度をもたせようとすると、その厚みを比較的大きくしなければならず、全体の重量が大きくなってしまう。このため、たとえば排水口蓋の清掃時において、清掃者の足の上などに排水口蓋を落とした場合のダメージが大きくなる可能性があり、金属板のエッジ部分が足などに当たった場合にはなおさらである。
そこで、このような不具合を解消する手段として、本発明者らは、金属板を樹脂体上に積層させることを先に着想した。ただし、金属板を樹脂体上に単に載せただけでは、金属板と樹脂体との位置ずれが発生する他、金属板と樹脂体との間に形成された隙間に水が入り込む(たとえば、金属板に反りなどの歪みがあると、この金属板と樹脂体との間に隙間が生じる)。このため、この隙間部分が不衛生になるといった事態が発生する虞がある。
【先行技術文献】
【特許文献】
【０００４】
【特許文献１】特開平９−１２５４７９号公報
【特許文献２】特許第４４３７８５３号公報
【発明の概要】
【発明が解決しようとする課題】
【０００５】
本発明は、前記したような事情のもとで考え出されたものであり、落下させた際の安全性を高めることができ、取り扱いの面や衛生面などにおいても優れたものとすることが可能な排水口蓋を提供することを、その課題としている。
【課題を解決するための手段】
【０００６】
上記の課題を解決するため、本発明では、次の技術的手段を講じている。
【０００７】
本発明により提供される排水口蓋は、排水口を覆うための排水口蓋であって、上下厚み方向に貫通した複数の貫通孔を有する金属板と、この金属板が上面部上に積層されるようにして前記金属板を支持し、かつ前記複数の貫通孔のうちの少なくとも１つの貫通孔に進入する上向き凸状部が前記上面部に設けられている樹脂体と、を備えており、前記樹脂体には、前記金属板の下面部に上部開口部が対向し、かつこの上部開口部から内部に流入してきた水を前記樹脂体の外部に流出させることが可能な排水用孔が設けられていることを特徴としている。
【０００８】
このような構成によれば、次のような効果が得られる。
第１に、金属板が樹脂体の上側に積層された構造であるため、金属板を利用した高級感
を醸しだすデザイン性が得られる一方、金属板単独では容易に撓み変形し易くなる不利を樹脂体により補い、金属板の厚みを小さくし、全体の軽量化および強度向上を図ることができる。したがって、取り扱い時において足の上に落下させたような場合のダメージを和らげることができる利点が得られる。金属板のエッジ部については、樹脂体により覆うことが可能であり、金属板のエッジ部が取扱者の足などを直撃するようなことも適切に防止することができる。
第２に、金属板の貫通孔には、樹脂体の上面部に設けられた上向き凸状部が進入しているため、樹脂体と金属板との水平方向の位置決めを図ることが可能である。
第３に、金属板の貫通孔に水が流れ込むような場合があるが、このような水は、樹脂体に設けられた排水用孔を介して樹脂体の外部に排出させることが可能である。したがって、金属板の貫通孔内に流入した水、さらには貫通孔から金属板と樹脂体との隙間に進入したような水がそれらの部分に多く滞留したままとなることを抑制し、それらの部分が不衛生になることを適切に防止することが可能となる。
【０００９】
本発明において、好ましくは、前記上向き凸状部の上端部は、前記金属板の上面部よりも上方に突出し、滑り止め用の凸部として機能する構成とされている。
【００１０】
このような構成によれば、金属板が比較的滑り易い表面であったとしても、樹脂体に設けられた上向き凸状部を利用することによって金属板の表面に滑り止め機能を適切にもたせることができる。
【００１１】
本発明において、好ましくは、前記樹脂体は、前記上面部を有し、かつ前記金属板が載せられる本体部と、この本体部の外周縁寄りの位置から下向きに突出した脚部と、を有しており、前記排水用孔としては、前記脚部の形成箇所を避けるように前記本体部の中央寄りの位置に設けられ、かつ前記本体部の上下厚み方向に貫通する第１の排水用孔を備えている。
【００１２】
このような構成によれば、金属板上に流れてきた水のうち、貫通孔に流入した水の多くを第１の排水用孔からその下方に排出することができる。したがって、金属板上、貫通孔内、および金属板と樹脂体との隙間などに多くの水が溜まらないようにすることができる。
【００１３】
本発明において、好ましくは、前記金属板には、下向き突出部が設けられており、前記排水用孔としては、前記下向き突出部が挿入されることにより前記金属板の位置決めを図るための孔部を含む第２の排水用孔を備えており、前記孔部は、この孔部の内面と前記下向き突出部との外面との間に、水の流通が可能な流路を形成するように構成されている。
【００１４】
このような構成によれば、金属板の下向き突出部が樹脂体の孔部に挿入される構造に基づき、樹脂体に対する金属板の位置決めをより的確に行なうことができる。加えて、前記孔部を利用して第２の排水用孔が設けられているため、その構成は合理的である。
【００１５】
本発明において、好ましくは、前記樹脂体の上面部または前記金属板の下面部には、前記樹脂体と前記金属板との間に進入した水を前記排水用孔の上部開口部に導くことが可能なように、前記排水用孔の上部開口部に繋がった排水促進用の凹溝が設けられている。
【００１６】
このような構成によれば、樹脂体と金属板との間に多くの水が滞留したままになることを防止する上で、より好ましいものとなる。
【００１７】
本発明において、好ましくは、前記樹脂体には、前記金属板を前記樹脂体の上面部上に保持させる磁力を発揮する磁石が埋設されている。
【００１８】
このような構成によれば、樹脂体の上面部への金属板の固定保持、およびその取り外し作業を簡易かつ迅速に行なうことでき、便利である。
【００１９】
本発明のその他の特徴および利点は、添付図面を参照して以下に行なう発明の実施の形態の説明から、より明らかになるであろう。
【図面の簡単な説明】
【００２０】
【図１】本発明に係る排水口蓋およびこの排水口蓋で覆われる排水口の一例を示す斜視図である。
【図２】（ａ）は、図１に示す排水口蓋の斜視図であり、（ｂ）は、（ａ）の分解斜視図である。
【図３】図２（ａ）のIII−III断面図である。
【図４】図２（ａ）のIV−IV断面図である。
【図５】図１に示す排水口蓋の底面図である。
【図６】（ａ）は、図２（ａ）のVI−VI断面図であり、（ｂ）は、（ａ）の要部拡大断面図であり、（ｃ）は、（ａ）の分解断面図である。
【図７】（ａ）は、本発明の他の例を示す分解斜視図であり、（ｂ）は、（ａ）の要部拡大斜視図である。
【図８】本発明の他の例を示す分解斜視図である。
【図９】本発明の他の例を示す要部斜視図である。
【図１０】本発明の他の例を示す断面図である。
【発明を実施するための形態】
【００２１】
以下、本発明の好ましい実施の形態について、図面を参照して具体的に説明する。
【００２２】
図１は、ユニットバスなどの浴室の構成要素として用いられる洗い場防水パンＰ、および排水口蓋Ａを示している。
【００２３】
洗い場防水パンＰは、全体が樹脂製であり、洗い場フロア１を形成している。この洗い場防水パンＰは、浴槽一体型（不図示）とすることが可能であるが、図１では、浴槽別体型であり、洗い場防水パンＰの横（図１の一側縁部９０の横）に浴槽が設置される。洗い場フロア１のうち、一側縁部９０寄りの位置には、たとえば平面視略矩形の凹状部４、およびこの凹状部４の下方奥部に位置する排水口３が設けられている。排水口３の下側には、排水トラップを介して排水パイプ（図示略）が接続される。凹状部４は、排水口蓋Ａを嵌入設置させるための部分である。排水口蓋Ａを凹状部４内に嵌入設置することにより、排水口３は排水口蓋Ａにより覆われる。
【００２４】
排水口蓋Ａは、金属板２と樹脂体５とを組み合わせて構成されている。
図２によく表われているように、金属板２は、平面視略矩形の平板状であり、耐食性に優れた材質（たとえばステンレス製）である。この金属板２には、上下厚み方向に貫通した複数の貫通孔２０が縦横に適宜の間隔を隔ててマトリクス状に並んで設けられている。金属板２の四隅部分のそれぞれの下面部には、下向き突出部２１が設けられている。この下向き突出部２１は、後述するように、金属板２を樹脂体５に連結させるための部位であり、たとえばステンレス製の筒状部材の上部を金属板２の下面部に溶接するなどして設けられている。この下向き突出部２１には、下部開口状のネジ孔２１ａが設けられている。
【００２５】
樹脂体５は、金属板２を支持するための台座としての役割を果たすものであり、たとえば繊維強化樹脂製である。この樹脂体５は、金属板２が載せられる本体部５０と、この本体部５０の外周縁寄りの位置から下向きに突出した脚部５１とを有している。樹脂体５に
は、第１の排水用孔５２Ａ、複数の第２の排水用孔５２Ｂ、複数の上向き凸状部５３、および上向き凸縁部５４が設けられている。
【００２６】
上向き凸縁部５４は、本体部５０の外周縁に沿って平面視矩形枠状に設けられた上向きリブ状である。金属板２は、この上向き凸縁部５４の内側に嵌入されて樹脂体５の上面部５ａ上に載せられる。複数の上向き凸状部５３は、第１の排水用孔５２Ａの周辺部において縦横に間隔を隔てたマトリクス状に並ぶようにして上面部５ａに設けられており、金属板２が上面部５ａに載せられた際には、複数の貫通孔２０に対してその下方から嵌入する。この嵌入状態においては、図３に示すように、上向き凸状部５３の上端部は、金属板２の上面部よりも適当な寸法Ｌａ（たとえば、十分の数ｍｍ〜数ｍｍ）で上方へ突出する。このことにより、上向き凸状部５３は、排水口蓋Ａの上面部の滑り止め用の凸部としての役割を果たす。同図の要部拡大図に示すように、貫通孔２０の内周面と上向き凸状部５３の外周面との間には、微小な隙間Ｃ１を生じ、この隙間Ｃ１（貫通孔２０内）に水が進入する虞がある。この水は、金属板２の下面部と樹脂体５の上面部５ａとの間の微小な隙間Ｃ２にさらに流入する虞がある。金属板２の下面部や樹脂体５の上面部５ａには、反りやその他の歪みが存在するのが通例であるため、前記した隙間Ｃ２が生じ、かつこの隙間Ｃ２に水が流入する。
【００２７】
図２において、第１の排水用孔５２Ａは、本体部５０の略中央部に位置する貫通孔として形成されている。本実施形態では、第１の排水用孔５２Ａが円形状であるが、楕円状や矩形状などの他の形状に形成することができる。図４および図５によく表われているように、樹脂体５上への金属板２の載置状態においては、第１の排水用孔５２Ａの上部開口部は、金属板２の下面部に直接対向し、かつ複数の貫通孔２０と連通する。このため、第１の排水用孔５２Ａに連通する貫通孔２０内に水が流入した場合、この水はそのまま第１の排水用孔５２Ａを通過してその下方へ排出される。
【００２８】
図６において、複数の第２の排水用孔５２Ｂは、金属板２の複数の下向き突出部２１が嵌入する孔部５２ａを利用して構成されている。より具体的には、樹脂体５には、下向き突出部２１が嵌入する複数の孔部５２ａ，５２ｂが上下に繋がって設けられている。上側の孔部５２ａは、上面部５ａの四隅部またはその近傍に上部開口部が位置するように設けられている。一方、下側の孔部５２ｂの下部開口部には、樹脂製またはゴム製のプラグ６が嵌合装着されている。このプラグ６は、脚部５１の下面部よりも下方に突出しており、排水口蓋Ａが設置される凹状部４に接触する部分である。金属板２の下向き突出部２１は、孔部５２ａ，５２ｂに嵌入された状態でビスなどのネジ体７を利用して固定されている。この固定は、たとえばバネ座金７１および平座金７２を孔部５２ｂの上壁面に当接させるようにして、ネジ体７を下向き突出部２１のネジ孔２１ａに螺合させて行なわれている。このような固定構造により、金属板２と樹脂体５との固定連結が図られる。
【００２９】
孔部５２ａは、この孔部５２ａ内にその上側の隙間Ｃ２から水が進入してきた際に、この水を孔部５２ｂ内へ流れ落とすための流路５２ｃを有する形態とされている。この流路５２ｃは、孔部５２ａに、たとえばキー溝状の凹部を連設することにより構成されている。一方、プラグ６には、切欠き部６０が形成されており、流路５２ｃを通過して孔部５２ｂ内に流れ落ちてきた水を、切欠き部６０から樹脂体５の外部に排出することが可能とされている。第２の排水用孔５２Ｂは、孔部５２ａ，５２ｂ、および切欠き部６０を組み合わせて構成されている。
【００３０】
次に、前記した排水口蓋Ａの作用について説明する。
【００３１】
排水口蓋Ａは、金属板２が樹脂体５の上側に積層された構造であるため、金属板２の表面の金属光沢を利用して高級感を醸しだすデザイン性が得られる。また、樹脂体５は、金
属板２が踏まれたような場合であっても容易に撓み変形などを生じないように、金属板２の広い領域を支持しているため、金属板２としては、厚みが比較的薄いものを用いることが可能である。したがって、排水口蓋を金属板のみで構成する場合と比べて、全体の軽量化を図ることが可能である。その結果、取り扱い時において足の上に落下させたような場合のダメージを和らげることができる。金属板２のエッジ部分は、上向き凸縁部５４により覆われているため、排水口蓋Ａを落とした際に、金属板２のエッジ部分が取扱者の足に当たるといったことも好適に回避される。
樹脂体５の上向き凸状部５３の上端部は、金属板２の上面部よりも上方に突出し、滑り止めの用の凸部として機能するため、入浴者などが金属板２上で足を滑らせるようなことも好適に抑制することが可能である。
【００３２】
金属板２の貫通孔２０内や、金属板２と樹脂体５との隙間Ｃ２には、水が流入する虞がある。ただし、図４に示したように、第１の排水用孔５２Ａの上側に位置する貫通孔２０内に流入した水は、第１の排水用孔５２Ａを通過してそのまま下方に排出される。一方、図６を参照して説明したように、隙間Ｃ２に流入した水については、第２の排水用孔５２Ｂを利用して樹脂体５の外部に排出することが可能である。したがって、貫通孔２０内や隙間Ｃ２内に大量の水が滞留したままになることを防止し、それらの部分が不衛生になることを抑制することができる。第２の排水用孔５２Ｂは、金属板２を樹脂体５に固定させるための孔部５２ａ，５２ｂを利用して形成されているため、その構成は合理的であり、構造の複雑化を抑制し得る利点も得られる。ネジ体７を緩めれば、金属板２を樹脂体５から取り外すことが可能であるため、それらの清掃作業を容易かつ的確に行なうことも可能である。
【００３３】
図７〜図１０は、本発明の他の実施形態を示している。これらの図において、前記実施形態と同一または類似の要素には、前記実施形態と同一の符号を付している。
【００３４】
図７に示す排水口蓋Ａａにおいては、樹脂体５の上面部５ａに、格子状に繋がった複数の排水促進用の凹溝５７が設けられている。この凹溝５７は、相互に一連に繋がり、かつ排水用孔５２Ｂ（第２の排水用孔５２Ｂ）の上部開口部にも繋がっている。
このような構成によれば、金属板２と樹脂体５の上面部５ａとの間に水が進入した場合に、この水を排水用孔５２Ｂに積極的に導き、金属板２と樹脂体５と間に多くの水が滞留したままになることをより適切に防止することが可能となる。本実施形態においては、前記実施形態の第１の排水用孔５２Ａに相当する排水用孔が設けられておらず、前記実施形態と比較して、金属板２と樹脂体５との間に進入する水の量が多くなる可能性が高いが、本実施形態の構成を採用すれば、排水用孔５２Ｂを利用した排水性能を高めることができる。
【００３５】
図８に示す排水口蓋Ａｂにおいては、図７に示した排水口蓋Ａｂとは異なり、樹脂体５に第１の排水用孔５２Ａを設けている。排水促進用の凹溝５７は、第２の排水用孔５２Ｂに加え、第１の排水用孔５２Ａにも繋がっており、金属板２と樹脂体５との隙間Ｃ２に進入した水が、凹溝５７を通過して第１の排水用孔５２Ａに導かれて外部に排出される効果も期待できる。
【００３６】
図９に示す排水口蓋Ａｃにおいては、樹脂体５の複数の排水促進用の凹溝５７に囲まれている各台部５ｂに、格子状に繋がった追加の凹溝５８がさらに形成されている。
このような構成によれば、台部５ｂ上の水が追加の凹溝５８を通過して凹溝５７に流れ落ちる現象が促進される。したがって、樹脂体５と金属板２（同図では不図示）との間に水が滞留したままになることを防止する上で、より好ましいものとなる。
なお、前記した実施形態の排水促進用の凹溝５７や追加の凹溝５８については、樹脂体５に設けることに代えて、金属板２の下面部に設けた構成とすることもできる。このよう
な構成であっても、前記したのと同様な作用を得ることが可能である。
【００３７】
図１０に示す排水口蓋Ａｄにおいては、樹脂体５内に、磁石８が埋設されている。同図では、磁石８の全体が樹脂体５内に埋設されているが、磁石８の上面部が樹脂体５の上面部５ａに露出した状態に埋設されていてもよい。金属板２は、磁石８の磁力により樹脂体５の上面部に保持される。金属板２の材質が、たとえばＪＩＳ−ＳＵＳ４００系などである場合、この金属板２を適切に磁力吸着させることが可能である。
本実施形態においては、ビスなどのネジ体を用いることなく、金属板２と樹脂体５との位置決め固定を図ることが可能であり、樹脂体５への金属板２の着脱作業を容易に行なうことができる。
【００３８】
本発明は、上述した実施形態の内容に限定されない。本発明に係る排水口蓋の各部の具体的な構成は、本発明の意図する範囲内において種々に設計変更自在である。
【００３９】
本発明でいう排水用孔は、金属板の下面部に上部開口部が対向し、かつこの上部開口部から内部に流入してきた水を樹脂体の外部に排出させることが可能であればよい。本発明でいう第１の排水用孔としては、その形状が円形状などに限定されないことは既に述べたとおりである他、そのサイズや数なども限定されない。第１の排水用孔を複数設けた構成とすることもできる。本発明でいう第２の排水用孔は、金属板に設けられた下向き突出部が挿入される孔部を利用して構成されているが、この孔部内において水を流通させるための手段としては、キー溝状の凹部を孔部に連設する手段に代えて、または加えて、孔部の内径を下向き突出部よりもやや大きめとし、孔部の内周面と下向き突出部の外周面との間に形成される隙間を流水用の流路とした構成とすることもできる。
【００４０】
金属板に設けられる複数の貫通孔、およびこれら複数の貫通孔に進入する樹脂体の上向き凸状部の具体的な形状、サイズ、数、配列なども限定されず、縦横に間隔を隔てたマトリクス状とは異なる配列（たとえば複数の同心円上に並んだ配列など）に設けることもできる。金属板や樹脂体の具体的な形状、サイズ、材質などもとくに限定されない。
本発明に係る排水口蓋は、浴槽が設置されていないシャワールームの排水口蓋を含むことは勿論のこと、これ以外として、たとえばプールサイドやキッチン洗い場の排水口蓋として構成することも可能である。
【符号の説明】
【００４１】
Ａ，Ａａ〜Ａｄ  排水口蓋
２  金属板
２０  貫通孔
２１  下向き突出部
３  排水口
５  樹脂体
５ａ  上面部
５０  本体部
５１  脚部
５２Ａ  第１の排水用孔（排水用孔）
５２Ｂ  第２の排水用孔（排水用孔）
５２ａ，５２ｂ  孔部
５２ｃ  流路
５３  上向き凸状部
５７  排水促進用の凹溝
８  磁石
【図１】
0006452077.tif 000002
【図２】
0006452077.tif 000003
【図３】
0006452077.tif 000004
【図４】
0006452077.tif 000005
【図５】
0006452077.tif 000006
【図６】
0006452077.tif 000007
【図７】
0006452077.tif 000008
【図８】
0006452077.tif 000009
【図９】
0006452077.tif 000010
【図１０】
0006452077.tif 000011